(57)【特許請求の範囲】
【請求項１】
時計枠の前面側に時刻表示部を、背面側に時計ムーブメントを配設し、
上記時計枠の外周に外周枠を設け、
上記外周枠の前面に、時表示文字板を取り付け、
上記時表示文字板の前面に、着脱可能な第１接着手段を介して動作の象形図が表わされている駒が、動作に関連する時表示文字の位置に接着され、
上記外周枠の前面に、上記時表示文字板が着脱可能な第２接着手段を介して取り付けられ、
上記時表示文字板は、可撓性を有する合成樹脂製のプレートと、前面側に時を表示する数字が印刷され前記プレートを包み込むように縫製された布と、から、構成され、
上記第１及び第２接着手段は、一方の面に多くのフックを植え付けた部材と、他方の面に多くのループを植え付けた部材とを１対とし、両面を対接してフックとループを噛み合わせてなるものである、
ことを特徴とする時計。
【請求項２】
上記第１及び第２接着手段は、洗浄可能であり、洗浄後にも洗浄前と同様な接着力を有するものであることを特徴とする請求項１に記載の時計。
【発明の詳細な説明】
【０００１】
【発明の属する技術分野】
本発明は、時計に関し、特に、知育用に用いるのに好適な時計に関するものである。
【０００２】
【従来の技術】
近来、子供向けの時計として、例えば、子供に人気のキャラクタを文字板に表わしたものとか、からくり時計でキャラクタが動くものとか、時刻を聞く等の簡単な会話を音声でキャラクタとするもの等、いろいろある。
【０００３】
【発明が解決しようとする課題】
上記のような子供向けの時計では、受身的に眺める楽しさはあるが、自分で時刻と関連させて為すべきことを決める等、知育に役立つように使用できる時計は未だ無かった。
【０００４】
【課題を解決するための手段】
そこで、本発明に係る時計は、時計枠の前面側に時刻表示部を、背面側に時計ムーブメントを配設し、時計枠の外周に外周枠を設け、外周枠の前面に、時表示文字板を取り付け、時表示文字板の前面に、着脱可能な接着手段を介して動作の象形図が表わされている駒が、動作に関連する時表示文字の位置に接着されていることを特徴としている。この構成によって、時表示文字板は外周枠の前面に位置しておりスペースを大きくできるので、この時表示文字板に駒を着脱する動作がし易くなる。駒を動作に関連する時表示文字の位置に接着することで、知育に役立つものとすることができる。
上記の時表示文字板は、着脱可能な接着手段を介して外周枠の前面に接着されていることが好ましい。必要に応じて分離させることができるので洗浄時などに有効である。
上記の着脱可能な接着手段は、一方の面に多くのフックを植え付けた部材と、他方の面に多くのループを植え付けた部材とを１対とし、両面を対接してフックとループを噛み合わせてなるものであることが好ましく、また、洗浄可能であり、洗浄後にも洗浄前と同様な接着力を有するものであることが好ましい。洗浄することによって子供が触れることの多い部分を清潔に保つことができ、衛生面に配慮したものとなる。
【０００５】
【発明の実施の形態】
本発明の実施の一形態について図面を参照して説明する。
図１に示すように、正面中央部に時刻表示部１が位置し、時刻表示部１の回りのリング状の部分に、リング状の時表示文字板２が位置している。
【０００６】
図２に示すように、時計枠３の前面側に時刻表示部１を配設し、時計枠３の背面側に時計ムーブメント４が配設してある。時刻表示部１には、時計枠３の前面に文字板１ａが設けられ、時計ムーブメント４の中心から前方に突出する指針軸４ａは、時計枠３と文字板１ａを貫通して前方に突出し、突出端に指針４ｂが取り付けられている。指針軸４ａは秒針軸、分針軸、時針軸からなり、指針４ｂは各軸に取り付けられている秒針、分針、時針からなる。時刻表示部１は透明な前面カバー１ｂにて覆われている。図２及び図３に示すように、時計枠３の背面側の上部には掛止め部３ａが設けてある。
【０００７】
時計枠３の回りにリング状の外周枠５が位置し、外周枠５はその内周縁５ａで前面カバー１ｂの外周縁を押圧する状態で、時計枠３に複数のねじ６…を用いて固定してある。
【０００８】
時表示文字板２は可撓性を有する合成樹脂製のリングプレート２ａと、このリングプレート２ａを包み込むようにリング状に縫製された布２ｃとで構成され、布２ｃの前面側表面に１時から１２時までの時を表示する数字（時表示文字）２ｂ…が印刷形成されている。リングプレート２ａは可撓性を有し、布２ｃと一緒に不都合なく洗浄できるようになっている。この時表示文字板２は外周枠５の前面に着脱可能な接着手段である接着具７を介して取り付けられている。接着具７としては、洗浄可能であり、洗浄後にも洗浄前と同様な接着力を有するものが用いられている。具体的には、接着具７は１対をなしており、接着すべき面の両方にそれぞれ設けられている。即ち、１対をなす着脱自在の接着具７の一例として、対接可能な２面のうちの一方の面に多くのフックを植え付けた部材と、他方の面に多くのループを植え付けた部材とを１対として、両面を対接してフックとループを噛み合わせる、いわゆるマジックテープ（登録商標）が用いられている。更に具体的には、外周枠５側に、ナイロン布にフックを植え付けた側の接着具７ａを離脱しないように接着剤等により固着しておき、時表示文字板２側には、ナイロン布にループを植え付けた側の接着具７ｂを縫合等により離脱しないように固着しておく。時表示文字板２の裏面を外周枠５に対して位置合わせして押し付ければ、時表示文字板２は接着具７ｂを介して外周枠５に接着し、容易には離脱しない。しかし、時表示文字板２を強い力で引き剥がせば、分離させることができる。
【０００９】
時表示文字板２の布２ｃとして、表面に先に述べたような多数のループが植え付けられたものが用いられており、時表示文字板２の特定の時、例えば３時と７時の位置に、子供の特定の動作の象形図が表わされている駒８，９が着脱可能に接着してある。即ち、駒８，９の裏面に、先に述べたと同様なナイロン布にフックを植え付けた側の接着具（図示せず）が設けてあり、この駒を時表示文字板２の布２ｃの表面の所望の位置に押し付ければ接着ができ、強く引き剥がせば分離させることができる。駒８，９と時表示文字板２との接着力は、時表示文字板２と外周枠５との接着力よりも弱く設定されている。すなわち、駒８，９を時表示文字板２から引き剥がすときに時表示文字板２が外周枠５から剥がれることがないようになっている。
【００１０】
図４（ａ）に示しているように、駒８には、おやつの時間の象形図が表わされているので、子供は自分でおやつと３時とを関連させて、３時の位置に駒８を接着する。また図４（ｂ）に示しているように、駒９には、友達と遊ぶ時間の象形図が表わされているので、子供は自分で友達と遊ぶことと７時とを関連させて、７時の位置に駒９を接着する。このように子供の１日の典型的な動作を象形図に表わした駒を多数作っておいて、子供自身で象形図と時とを関連づけて、その時表示文字２ｂの位置に該当する駒を接着させるような遊びをすれば、知育具として使用できることになる。
【００１１】
時表示文字板２や駒８，９は、子供が頻繁に触れるものであるから、着脱可能な接着手段を、洗浄可能であり、洗浄後にも洗浄前と同様な接着力を有するものとする。そこで、これらを分離させた時に洗浄することとすれば、洗浄することによって子供が触れることの多い部分を清潔に保つことができ、衛生面に配慮したものとなる。
【００１２】
【発明の効果】
本発明は、以上説明したように時表示文字板は外周枠の前面に位置しておりスペースを大きくできるので、この時表示文字板に駒を着脱する動作をし易くできる。駒を動作に関連する時表示文字の位置に接着することで、知育に役立つものとすることができる。着脱可能な接着手段を介して時表示文字板を外周枠の前面に接着すれば、必要に応じて時表示文字板を分離させることができ、時表示文字板の洗浄時などに有効である。着脱可能な接着手段を洗浄可能であり、洗浄後にも洗浄前と同様な接着力を有するものとすれば、洗浄することによって子供が触れることの多い部分を清潔に保つことができ、衛生の観点から極めて優れたものにできる。
【図面の簡単な説明】
【図１】本発明の実施の一形態を示す正面図である。
【図２】図１Ａ−Ａ線断面図である。
【図３】図１の背面図である。
【図４】（ａ）（ｂ）は駒の一例を示す正面図である。
【符号の説明】
１        時刻表示部
２        時表示文字板
２ｂ      時表示文字
３        時計枠
４        時計ムーブメント
５        外周枠
７        着脱可能な接着手段
８、９    駒
【図１】
0004282172.tif 000002
【図２】
0004282172.tif 000003
【図３】
0004282172.tif 000004
【図４】
0004282172.tif 000005